(57)【要約】【課題】  小口径の管路において流量測定を行う際に、測定管に曲管路を持たせ測定精度を向上させる。【解決手段】  中央に曲管部１１を有する測定管１２の両管端部の直管部１３、１４の端部は閉塞部１５、１６とされ、超音波送受信器１７、１８がその送受信方向を直管部１３、１４の管軸方向に向けてそれぞれ取り付けられている。直管部１３、１４には、側方から管軸同士を同一線上とした一対の流体導管１９、２０が接続されている。超音波送受信器１７から送受信器１８への超音波発信と、送受信器１８から送受信器１７への超音波パルスの発信は交互になされる。送受信器１７から発信され、２個所の曲管部１１の反射点１１ａ、１１ｂで反射されて第２の送受信器１８に至る超音波パルスは、流体に重畳して進行するため、送受信器１８から発信し送受信器１７に至る時間よりも、流速に相応して短くなり、この時間差により流量が求まる。【選択図】  図１
2008026213.tif 000002
【特許請求の範囲】
【請求項１】
中央部に曲管部を有し両管端部を閉塞した測定管の前記両管端部の側部に、一対の流体導管を管軸同士を一致させて接続し、前記両管端部の閉塞部に前記管端部の管軸方向に向けて超音波パルスを送受信できるように、それぞれ超音波送受信器を取り付けたことを特徴とする超音波流量計。
【請求項２】
前記測定管の前記両管端部は直管とし、前記超音波送受信器による超音波パルスを前記曲管部において反射させることを特徴とする請求項１に記載の超音波流量計。
【請求項３】
前記曲管部は略「く」の字状としたことを特徴とする請求項１に記載の超音波流量計。
【請求項４】
合成樹脂材から成るブロック体中に前記測定管の管端部を成型し、前記ブロック体に前記曲管部に対する継手と前記流体導管に対する継手を設け、前記ブロック体に前記超音波送受信器を取り付けたことを特徴とする請求項１又は２に記載の超音波流量計。
【請求項５】
前記２つのブロック体同士を所定間隔に接続したことを特徴とする請求項４に記載の超音波流量計。
【発明の詳細な説明】
【技術分野】
【０００１】
本発明は、超音波の伝播時間差方式により流量を測定する超音波流量計に関するものである。
【背景技術】
【０００２】
従来、内径が例えば１０ｍｍ以下の小口径の管路における超音波流量計においては、その測定を精度良く実施することは困難とされている。
【０００３】
通常行われている図３に示すＺ式や、図４に示すＶ式の超音波伝達経路を用いた測定では、管路１の径が小さいと超音波送受信器２、３からの超音波が流体中を伝播する距離が短いため、流量測定の分解能が低い。
【０００４】
そこで、図５に示すように超音波送受信器２、３間の距離を長くすると、超音波が管路１の管壁で反射する回数が増えてしまい、得られる信号波形の強度が減衰し、ＳＮ比が小さなものとなってしまう。
【０００５】
これらの問題を解決し、波路長を長くするために超音波送受信器２、３の管路１に対する超音波送受信角度θを大きくして反射回数を減らすと、超音波の管路内への送信効率や管内からの受信効率が悪化する。
【０００６】
そこで、図６に示すようなコの字型の管路４、或いは図７に示すようなクランク型の管路５を用いて、両側に超音波送受信器２、３を配置し、この間の超音波伝播によって流量を測定することがある。
【０００７】
この型式の測定方式においては、管路４、５内への超音波の送受信効率が向上し、管路４、５の内壁による超音波の反射が少ないという利点はある。しかし、管路４、５には直角路があって、流体力学上の圧力損失が発生し易く、流体の滞留部が生じ、屈折部に沈殿物が堆積し易いなどの問題がある。
【発明の開示】
【発明が解決しようとする課題】
【０００８】
このような観点から、小口径の管路における超音波による流量測定においては、次の条件を備えることが好ましい。
【０００９】
（１）管路内での超音波送受信器における伝達時間の測定精度の分解能を高めるために、超音波の伝播距離を長くする。
【００１０】
（２）超音波の反射には減衰が伴うので、管壁での反射回数をできるだけ少なくする。
【００１１】
（３）反射を必要とする場合も、管路内での流体の反射における管壁外への透過波を少なくするために、管壁の法線に対し大きな反射角度を持たせる。
【００１２】
（４）管路での流体の圧力損失をできるだけ少なくする。
【００１３】
しかし、このような（１）〜（４）の条件を同時に満足させることは、従来のような直管路のみの管路だけでは実現が難しい。
【００１４】
本発明の目的は、上述の課題を解消し、測定管に曲管路を用いた流量測定精度が高い超音波流量計を提供することにある。
【課題を解決するための手段】
【００１５】
上記目的を達成するための本発明に係る超音波流量計の技術的特徴は、中央部に曲管部を有し両管端部を閉塞した測定管の前記両管端部の側部に、一対の流体導管を管軸同士を一致させて接続し、前記両管端部の閉塞部に前記管端部の管軸方向に向けて超音波パルスを送受信できるように、それぞれ超音波送受信器を取り付けたことにある。
【発明の効果】
【００１６】
本発明に係る超音波流量計によれば、測定管に曲管部を設け、圧力損失を少なくし、測定精度が向上する。また、流体導管を鉛直方向に向けて使用した場合には、流体中の沈殿物の堆積も少ない。
【発明を実施するための最良の形態】
【００１７】
本発明を図１、図２に図示の実施例に基づいて詳細に説明する。
【実施例１】
【００１８】
図１は実施例１の超音波流量計の構成図を示し、中央に円弧状の曲管部１１を有する測定管１２の両管端部は直管部１３、１４とされ、これらの端部は閉塞部１５、１６とされている。なお、曲管部１１の大きさは、円周の略１／４の大きさとされている。
【００１９】
閉塞部１５、１６には、第１、第２の超音波送受信器１７、１８がその送受信方向を直管部１３、１４の管軸方向に向けてそれぞれ取り付けられている。更に、直管部１３、１４には、側方から一対の流体導管１９、２０が接続され、これらの流体導管１９、２０の管軸同士は同一線上にある。
【００２０】
実際には、直管部１３、１４はそれぞれ合成樹脂材を射出成型してブロック体２１中に成型され、曲管部１１の継手部、流体導管１９、２０の一方の継手部、第１、第２の超音波送受信器１７、１８の一方の取付部が形成されている。
【００２１】
そして、一方のブロック体２１に、曲管部１１の一端、流体導管１９が接続され、超音波送受信器１７が取り付けられている。また、他方のブロック体２１’には、曲管部１１の他端、流体導管２０が接続され、超音波送受信器１８が取り付けられ、ブロック体２１、２１’同士は例えば金属板２２により所定間隔に保持されている。
【００２２】
被測定流体は流体導管１９から直管部１３、測定管１２を経て、直管部１４、流体導管２０に流れる。測定に際して、直管路１３の第１の超音波送受信器１７から発信された超音波パルスは、効率良く測定管１２内に入射して、曲管部１１の内壁による反射点１１ａ、１１ｂにおいて反射して、第２の送受信器１８に入射して、測定データとなる超音波信号が得られる。また、第２の送受信器１８から第１の送受信器１７に至る超音波パルスの場合も同様である。
【００２３】
第１の超音波送受信器１７から第２の送受信器１８への超音波パルスの発信と、第２の送受信器１８から第１の送受信器１７への超音波パルスの発信は交互になされる。第１の送受信器１７から発信された超音波パルスが、曲管部１１の２個所の反射点１１ａ、１１ｂで反射されて第２の送受信器１８で受信するまでの時間は、超音波パルスが流体の進行に重畳するため、第２の送受信器１８から発信し曲管部１１での２回の反射を経て第１の送受信器１７に至る時間よりも、流速に相応して短くなっている。
【００２４】
これらの時間は図示しない測定回路により測定され、得られた時間差は被測定流体の流速に関係するので、この時間差によって流速が求まり、測定管１２の断面積を乗ずることによって測定流量が得られる。
【実施例２】
【００２５】
実施例１においては、曲管部１１は円弧状としたが、図２に示すように測定管１２の曲管部１１’は略「く」の字状に屈曲されている。この実施例２においては超音波パルスは反射点１１ａ’で反射される。なお、この場合の屈曲角をさほど大きくしなければ、流体の圧力損失が大きく発生することはない。
【００２６】
本発明においては、先に解決しようとする課題で挙げた（１）〜（４）の条件を全て満足する超音波流量計が得られる。
【図面の簡単な説明】
【００２７】
【図１】実施例１の構成図である。
【図２】実施例２の要部断面図である。
【図３】Ｚ式の従来例の超音波流量計の構成図である。
【図４】Ｖ式の従来例の超音波流量計の構成図である。
【図５】送受信器間の距離を大きくした場合の従来例の超音波流量計の構成図である。
【図６】コの字型の管路を用いた従来例の超音波流量計の構成図である。
【図７】クランク型の管路を用いた従来例の超音波流量計の構成図である。
【符号の説明】
【００２８】
１１、１１’  曲管部
１２  測定管
１３、１４  直管部
１５、１６  閉塞部
１７、１８  超音波送受信器
１９、２０  流体導管
【図１】
2008026213.tif 000003
【図２】
2008026213.tif 000004
【図３】
2008026213.tif 000005
【図４】
2008026213.tif 000006
【図５】
2008026213.tif 000007
【図６】
2008026213.tif 000008
【図７】
2008026213.tif 000009